(57)【要約】本発明は、プロセッサ８６、受信された有線信号９６を受信し、バス信号１００をプロセッサ８６に供給するために作用的に接続されるバスモニタ９０、及び、受信された無線信号９２を受信し、アンテナ信号１０２をプロセッサ８６に供給するために作用的に接続されるアンテナ８８を含むデュアルモード照明装置に関し、受信された有線信号９６及び受信された無線信号９２は、互換性のある通信プロトコルに準拠する。
2008514096.tif 000002
【特許請求の範囲】
【請求項１】
デュアルモード照明装置であって、
プロセッサと、
受信された有線信号を受信し、前記プロセッサにバス信号を供給するために作用的に接続されるバスモニタと、
受信された無線信号を受信し、前記プロセッサにアンテナ信号を供給するために作用的に接続されるアンテナとを有し、
前記受信された有線信号と前記受信された無線信号とは、互換性のある通信プロトコルに従う、装置。
【請求項２】
前記互換性のある通信プロトコルは、ＤＡＬＩ（Digital  Addressable  Lighting  Interface）プロトコル及びＺｉｇＢｅｅプロトコルからなるグループから選択される、
請求項１記載の装置。
【請求項３】
前記デュアルモード照明装置はデバイスＩＤを有し、前記プロセッサは、前記デバイスＩＤについて前記バス信号及び前記アンテナ信号をモニタする、
請求項１記載の装置。
【請求項４】
バラストインタフェースを更に有し、
前記プロセッサは、前記バス信号及び前記アンテナ信号のうちの１つが前記デバイスＩＤを含むとき、前記バラストインタフェースに、ランプ制御信号を生成するように指示する、
請求項３記載の装置。
【請求項５】
前記プロセッサは、前記アンテナが受信された無線信号を受信したとき、前記バスモニタに、送信された有線信号を送信するように指示する、
請求項１記載の装置。
【請求項６】
前記プロセッサは、前記バスモニタが受信された有線信号を受信したとき、前記アンテナに、送信された無線信号を送信するように指示する、
請求項１記載の装置。
【請求項７】
前記プロセッサは、前記バスモニタが受信された有線信号を受信したとき、前記バスモニタに、送信された有線信号を送信するように指示する、
請求項１記載の装置。
【請求項８】
前記プロセッサは、前記アンテナが受信された無線信号を受信したとき、前記アンテナに、送信された無線信号を送信するように指示する、
請求項１記載の装置。
【請求項９】
バラストインタフェースを更に有し、前記バラストインタフェースは、前記プロセッサからバラスト信号を受信し、ランプ制御信号を供給するために作用的に接続される、
請求項１記載の装置。
【請求項１０】
システムインタフェースを更に有し、前記システムインタフェースは、システム信号を受信し、前記プロセッサにインタフェース信号を供給するために作用的に接続される、
請求項１記載の装置。
【請求項１１】
前記システム信号は、有線信号、無線信号、８０２．１１信号、Ｅｉｔｈｅｒｎｅｔ信号、ＴＣＰ／ＩＰ信号、ＤＡＬＩプロトコル信号、及びＺｉｇＢｅｅプロトコル信号からなるグループから選択される、
請求項１０記載の装置。
【請求項１２】
前記プロセッサに作用的に接続されるメモリを更に有する、
請求項１記載の装置。
【請求項１３】
前記プロセッサに制御入力信号を供給する制御入力を更に有する、
請求項１記載の装置。
【請求項１４】
前記制御入力は、センサ、光センサ、占有検出器、ローカルコントロール、ウォールコントロール、リモートコントロール、及びシーンコントロールからなるグループから選択される、
請求項１３記載の装置。
【請求項１５】
デュアルモード照明制御の方法であって、
第一のモードと第二のモードで通信するために作用する照明装置を設けるステップと、
前記第一のモードで、前記照明装置で受信信号を受信するステップと、
前記第一のモードと前記第二のモードから選択されたモードで、前記照明装置から送信信号を送信するステップと、
を含む方法。
【請求項１６】
前記第一のモードは有線モードであり、前記第二のモードは無線モードである、
請求項１５記載の方法。
【請求項１７】
前記第一のモードは無線モードであり、前記第二のモードは有線モードである、
請求項１５記載の方法。
【請求項１８】
前記第一のモードにおいて前記照明装置で受信信号を受信すると同時に、前記第二のモードにおいて前記照明装置で第二の受信信号を受信するステップを更に含み、
前記送信信号を送信するステップは、前記第一のモードと前記第二のモードから選択される予め決定されたモードで前記送信信号を送信するステップを含む、
請求項１５記載の方法。
【請求項１９】
前記第一のモードと前記第二のモードから選択されたモードで前記照明装置から送信信号を送信するステップは、前記第一のモードで前記照明装置から第一の送信信号を送信し、前記第二のモードで前記照明装置から第二の送信信号を送信するステップを含む、
請求項１５記載の方法。
【請求項２０】
前記受信信号は第一の互換性のある通信プロトコルに従い、前記送信信号は第二の互換性のある通信プロトコルに従う、
請求項１５記載の方法。
【請求項２１】
前記受信信号に応答してランプ制御信号を生成するステップを更に含む、
請求項１５記載の方法。
【請求項２２】
少なくとも１つのランプイルミネーションレベルを設定するステップと、
前記照明装置で光強度を測定するステップと、
前記光強度を所望の光強度の設定に比較して、レベル補正信号を生成するステップと、
前記レベル補正信号により前記ランプイルミネーションレベルを調節するステップと、
を更に含む請求項１５記載の方法。
【請求項２３】
デュアルモード照明制御のシステムであって、
第一のモードで受信信号を受信する手段と、
前記受信信号を処理して、送信信号を生成する手段と、
前記第一のモードと第二のモードから選択されたモードで、前記送信信号を送信する手段と、
を有するシステム。
【請求項２４】
前記第二のモードで第二の受信信号を受信する手段を更に有し、前記送信信号を送信する手段は、前記第一のモードと前記第二のモードから選択された予め決定されたモードに前記送信信号を送信する手段を有する、
請求項２３記載のシステム。
【請求項２５】
前記第一のモードと前記第二のモードから選択されたモードで前記照明装置から送信信号を送信する手段は、前記第一のモードで前記照明装置から第一の送信信号を送信する手段と、前記第二のモードで前記照明装置から第二の送信信号を送信する手段とを有する、
請求項２３記載のシステム。
【請求項２６】
前記受信信号は第一の互換性のある通信プロトコルに従い、前記送信信号は第二の互換性のある通信プロトコルに従う、
請求項２３記載のシステム。
【請求項２７】
前記受信信号に応答してランプ制御信号を生成する手段を更に有する、
請求項２３記載のシステム。
【請求項２８】
少なくとも１つのランプイルミネーションレベルを設定する手段と、
前記照明装置で光強度を測定する手段と、
前記光強度を所望の光強度の設定に比較して、レベル補正信号を生成する手段と、
前記レベル補正信号により前記ランプイルミネーションレベルを調節する手段と、
を更に有する請求項２３記載のシステム。
【発明の詳細な説明】
【技術分野】
【０００１】
本発明は、照明システム全般に関し、より詳細には、有線通信及び無線通信の両者を使用したデュアルモードの照明装置に関する。
【背景技術】
【０００２】
蛍光灯のような放電灯は、ランプへの電流を制限するために安定器を必要とする。電子安定器は、それら多くの利点のために益々普及している。電子安定器は、磁気的な安定器システムに対して、１５％から２０％のような大きな効率を提供する。電子安定器は、熱を生成せず、ビルの冷却負荷を低減し、「ハム“hum”」なしで静かに動作する。さらに、電子安定器は、より設計及び制御の柔軟性を提供する。
【０００３】
１つの特定の挑戦は、多数の電子安定器及び制御を含む照明システムの効果的、安価な制御を提供することである。照明システムの１つの通信プロトコルは、蛍光灯の安定器規格ＩＥＣ６０９２９のＡｎｎｅｘＥで説明されるＤＡＬＩ（Digital  Addressable  Lighting  Interface）プロトコルである。ＤＡＬＩプロトコルは、特に照明システムにおいて異なる製造業者からの安定器を使用可能であるように、インタフェース規格を設定する。
【０００４】
ＤＡＬＩプロトコルを実現する既存のハードウェアは、電子安定器のそれぞれについてコントローラを接続するワイヤのペアを必要とし、照明システムセルで制御する。ワイヤのペアは、通信バスとして機能し、セル内の個々のコントローラに命令を伝達し、該コントローラからの応答を受信する。セル内の少なくとも１つのコントローラは、マスターコントローラとして機能し、照明管理システムと通信する。
【０００５】
ＤＡＬＩ命令は、アドレスバイト及び命令データバイトを含む。アドレスバイトは、コントローラＩＤとして機能し、メッセージが意図されるＤＡＬＩコントローラを決定する。６４の固有のアドレスに加えて、１６のグループアドレスがセル内で利用可能である。特定のコントローラは、一度に１を超えるグループに属する。命令は、個々のアドレス又はグループアドレスに対して行われ、個々のアドレス及び／又はグループアドレスを含む照明シーンが定義される。ＤＡＬＩ命令データバイトは、コマンド又は問合せである。コマンドの例は、ランプを消し、選択された値に電力レベルを設定し、又は選択されたレートに暗くするためのコントローラへの指示を含む。問合せの例は、ランプのコントローラの要求又はコントローラステータス、若しくは、現在、最小又は最大の光レベルのような記憶されたデータの要求を含む。ＤＡＬＩ応答は、要求しているコントローラに問合せ結果を供給する応答データバイトを含む。
【０００６】
他の通信プロトコルも利用可能である。たとえば、ＩＥＥＥ８０２．１５．４無線規格のトップで動作するＺｉｇＢｅｅプロトコルは、低いデータレート、低い消費電力、セキュリティ、及び信頼性をサポートする費用対効果の高い標準ベースの無線ネットワークを提供する。更なる有線及び無線プロトコルは、オープンかつプロプライエタリの両者について、照明システム制御で使用される。
【０００７】
コントローラを接続するためにワイヤのペアを使用して有線システムを無線アーキテクチャで置き換えるため、開発の努力が進行中である。セル内のコントローラは、無線周波（ＲＦ）信号で通信する。有線からの自由度は低減されたインストール費用及び増加された設計の柔軟性のポテンシャルを提供するが、無線システムは、全ての状況に適していない。障害又は無線周波を放出する装置は、ＲＦ信号を妨げる。幾つかの状況では、有線システムは、無線システムよりも好ましい場合がある。
【０００８】
既存の有線システムと新規の無線システムによる問題は、両者が“all  or  nothing”であり、すなわちそれぞれのセルは全て優先であるか、全て無線である。システムは、有線モード又は無線モードといったシングルモードでのみ動作する。一方又は他方がセル内の所定のロケーションにとって適切であるので、セル内の全てのコントローラは、有線又は無線である必要がある。かかるように、システム設計者は、無線照明システムの一部に無線コントローラを使用することが強制され、この場合、設置が容易であり、有線コントローラは効果ではない。逆に、システム設計者は、有線照明システムの一部で有線コントローラを使用することが強制され、この場合、設置が困難であり、無線コントローラは設置が容易である。さらに、ユーザは有線から無線にセルを変換すること、又は無線から有線にセルを変換することを望み、ユーザは、一度に幾つかのコントローラを置き換え、切り替えにおけるフェージングよりはむしろ、ある技術を他の技術に同時に全体のセルを変換するように強制される。これは、キャッシュフロー問題を提示し、ユーザがより利益のあるシステムに変換する可能性を低くする。
【発明の開示】
【課題を解決するための手段】
【０００９】
上記問題点を克服するデュアルモード照明コントローラを有することが望まれる。  
本発明の１態様は、デュアルモード照明装置のプロセッサ、受信された有線信号を受け、プロセッサにバス信号を提供するために作用的に接続されるバスモニタ、及び受信された無線信号を受け、アンテナ信号をプロセッサに供給するために作用的に接続されるアンテナを提供するものであり、受信された有線信号及び受信された無線信号は、互換性のある通信プロトコルに適合する。
【００１０】
本発明の別の態様は、第一のモード及び第二のモードで通信するために作用する照明装置を提供し、第一のモードで照明装置で受信信号を受信し、第一及び第二のモードから選択されたモードで照明装置から送信信号を送信することを含むデュアルモード照明制御の方法を提供する。
【００１１】
本発明の別の態様は、第一のモードで受信信号を受信する手段、受信信号を処理して送信信号を生成する手段、並びに、第一のモード及び第二のモードから選択されたモードで送信信号を送信する手段を含むデュアルモード照明制御のシステムを提供する。
【００１２】
本発明の別の態様は、第一のモードで受信信号を受信する手段、受信信号を処理して送信信号を生成する手段、第一のモード及び第二のモードから選択されたモードで送信信号を送信する手段を含むデュアルモード照明制御のシステムを提供する。
【００１３】
本発明の上述された特徴及び利点は、添付図面と共に読まれて、好適な実施の形態の以下の詳細な説明から更に明らかとなる。詳細な説明及び図面は、限定するよりはむしろ本発明を例示するものであり、本発明の範囲は、特許請求の範囲及びその等価により定義される。
【発明を実施するための最良の形態】
【００１４】
図１は、本発明に従ってなされるデュアルモード照明装置を含む照明システムのブロック図である。照明システム２０は、システム信号２４をマスター装置２６に供給するシステム制御２２を含み、スレーブ装置を制御し、独立した照明制御装置に接続される。スレーブ装置は、個々のランプバラスト又は他の照明制御である。個々の照明制御装置は、占有検出器、ウォールコントロール、シーンコントロール、リモートコントロール、ライトセンサ等である。１実施の形態では、装置はデュアルモード照明装置である。代替的な実施の形態では、装置は、デュアルモード照明装置と従来の装置の混成である。
【００１５】
システム制御２２は、照明管理ソフトウェアを実行するコンピュータ、若しくは１又は多数の照明システムセルの制御を供給する別の制御装置である。システム制御２２は、多数のビルディング、ビルディング内のフロア、フロア内のゾーン、若しくはその所望の組み合わせを制御する。代替的な実施の形態では、システム制御２２は、光レベル、占有又はユーザ入力に関して１以上の装置のグループに情報を供給するセンサである。システム制御２２は、多数のマスター装置に接続され、多数のマスター装置を動作させる。図示される例では、システム制御２２は、マスター装置２６を通してシングル照明システムセルを制御する。システム制御２２は、システム信号２４を通してマスター装置２６と通信し、マスター装置２６に命令及び問い合わせを送出し、マスター装置２６からの応答を受ける。システム制御２２とマスター装置２６との間のコネクションは、ＴＣＰ／ＩＰを実現する８０２．１１無線又はＥｔｈｅｒｎｅｔ（登録商標）コネクションのような、有線又は無線とすることができ、ＤＡＬＩ又はＺｉｇＢｅｅプロトコルのようなコンパチブルコミュニケーションプロトコルを実現する配線バス又は電波による。
【００１６】
図１は、照明システムセル内のスレーブ装置の可能性のある組み合わせの例を提供する。マスター装置２６は、システム制御２２からシステム信号２４を受信し、照明システムセル内でスレーブ装置と通信する。マスター装置２６は、配線（ワイアド）バス２８との間で有線信号を送出及び受信し、電波３０との間で無線信号を送出及び受信するために作用的に接続される。１実施の形態では、有線信号及び／又は無線信号は、蛍光バラスト規格ＩＥＣ６０９２９のＡｎｎｅｘＥに述べられるＤｉｇｉｔａｌ  Ａｄｄｒｅｓｓａｂｌｅ  Ｌｉｇｈｔｉｎｇ  Ｉｎｔｅｒｆａｃｅ  （ＤＡＬＩ）のような、同じ通信プロトコルに従う。有線信号がＤＡＬＩプロトコルに従う場合、有線バス２８はワイヤペアである。無線信号は、２．４ＧＨｚ等のような多数の周波数で電波３０と通して送信することができる。マスター装置２６は、第一のモード（有線モード）でスレーブ装置３２，３４，３６と通信し、第二のモード（無線モード）でスレーブ装置４２，４４，４６と通信する。代替的に実施の形態では、有線信号及び／又は無線信号は、ＩＥＥＥ８０２．１５．４無線規格の上位で動作するＺｉｇＢｅｅプロトコルのような無線通信プロトコルに従う。別の代替的な実施の形態では、有線信号及び／又は無線信号は、互換性のある通信プロトコルに従う。互換性のある通信プロトコルは、同じ又は類似のタイムフレームで同じ又は等価な情報を伝達可能な通信プロトコルとして定義される。互換性のある通信プロトコルは、同じ通信プロトコル又は異なる通信プロトコルとすることができる。
【００１７】
スレーブ装置３２，３４，３６は、配線バス２８に接続され、マスター装置２４から有線信号を受け、マスター装置２４に有線信号を送出するために接続される。１実施の形態では、スレーブ装置３２，３４は、従来の有線のスレーブ装置である。代替的な実施の形態では、スレーブ装置３２，３４は、デュアルモードスレーブ装置である。スレーブ装置３６は、デュアルモードスレーブ装置である。図示される実施の形態では、スレーブ装置３６は、無線信号３８でスレーブ装置４０と通信する。スレーブ装置３６は、第一のモードでマスター装置２６と通信し、第二のモード（無線モード）でスレーブ装置４０と通信する。
【００１８】
スレーブ装置４２，４４，４６は、電波３０を通して無線信号を使用してマスター装置２６と通信する。１実施の形態では、スレーブ装置４２は、従来の無線スレーブ装置である。代替的な実施の形態では、スレーブ装置４２は、デュアルモードスレーブ装置である。
【００１９】
スレーブ装置４４は、配線バス５０にわたり有線信号４８でスレーブ装置５２，５４と通信する。スレーブ装置４４は、第一のモード（無線モード）でマスター装置２６と通信し、第二のモード（有線モード）でスレーブ装置５２，５４と通信する。１実施の形態では、スレーブ装置５２，５４は、従来の有線のスレーブ装置である。代替的な実施の形態では、スレーブ装置５２，５４は、デュアルモードスレーブ装置である。
【００２０】
スレーブ装置４６は、無線モードで電波３０にわたりマスター装置２６と通信し、有線信号５８又は無線信号６０のいずれかでスレーブ装置５６と通信する。１実施の形態では、スレーブ装置４６は、有線信号５８又は無線信号６０を使用してスレーブ装置５６と通信すべきかを判定する。代替的な実施の形態では、スレーブ装置４６は、有線信号５８と無線信号６０の両者と通信しようとし、スレーブ装置５６は、どの信号を使用すべきかを判定する。当業者であれば、スレーブ装置４６が、電波よりはむしろ、配線バスを通してマスター装置２６と通信できることを理解されるであろう。スレーブ装置５６は、無線信号６２でスレーブ装置６４と通信する。
【００２１】
マスター装置２６又はスレーブ装置３２，４２のようなマスター又はスレーブ照明装置は、ランプバラストコントローラの代わりに、独立な照明制御コントローラとすることができる。独立な照明制御装置として、照明装置は、光センサ又は占有検出器のようなセンサ、ウォールコントロール、リモートコントロール、又はシーンコントロールのようなローカルコントロールとしてのローカル入力を含む。
【００２２】
１例では、照明システムは、そのエリアに到来する光が変化するときに、照明システムのランプからの人工的な光レベルを調節することで、あるエリアにおけるイルミネーションレベルを維持する。照明システムセルにおけるランプのランプイルミネーションレベルは、マスターコントローラ又は別の装置からのコマンドにより設定される。照明システムセル内の照明装置は、照明装置での光強度を測定するローカル入力として光センサを含む。照明装置は、マスターコントローラからのランプ照明レベルに対応する所望の光強度の設定を受け、所望の光強度の設定を記憶する。照明センサからの測定された照明レベルは、所望の時間インターバルで所望の光強度の設定に比較される。測定された光レベルと所望の光設定との間に差があるとき、プロセッサは、レベル補正信号を計算する。レベル補正信号は、照明システムセルにおけるランプコントローラのそれぞれにコマンドとして送出され、そのエリアにおける所望の光レベルを維持するため、それぞれのランプのランプイルミネーションレベルを調節する。
【００２３】
当業者であれば、所望のコンフィギュレーションに適合するため、デュアルモード照明装置、従来の有線装置及び従来の無線装置の様々な組み合わせが可能であることを理解されたい。デュアルモード照明装置及び従来の有線装置は、無線装置が干渉に遭遇する場合に使用することができる。デュアルモード照明装置及び装置並びに従来の無線装置は、配線バスのインスタレーションが実用的ではない場合に使用される。デュアルモード照明装置、従来の有線装置及び装置、並びに従来の無線装置は、有線の照明システムから無線の照明システム、又は無線の照明システムから有線の照明システムに変わるとき中間的なコンフィギュレーションとして使用される。
【００２４】
図２は、本発明に従ってなされるデュアルモード照明装置のブロック図である。デュアルモード照明装置８０は、配線バス２８及び／又は電波３０を通して他の装置と通信する。デュアルモード照明装置８０は、マスターコントローラ、スレーブコントローラ、又は占有検出器（occupancy  detectors）のような独立な照明制御装置とすることができる。図示される例では、デュアルモード照明装置８０は、システム制御２２に接続されるマスター装置である。
【００２５】
デュアルモード照明装置８０は、メモリ８２、プロセッサ８６、アンテナ８８、バスモニタ９０、及びバラストインタフェース１１０を含む。メモリ８２は、プロセッサ８６の動作のためのデータ及び命令を記憶するため、メモリ信号１０６を通してプロセッサに作用的に接続される。プロセッサ８６は、アンテナ８８及びバスモニタ９０を通した通信を含めて、デュアルモード照明装置８０の動作を制御する。プロセッサ８６は、１つのプロセッサ又は多数のプロセッサとすることができる。アンテナ８８は、電波３０を通して照明システムセル内の他の装置との間で、受信された無線信号９２を受け、送信された無線信号９４を送信する。アンテナ８８は、アンテナ信号１０２でプロセッサ８６と通信する。バスモニタ９０は、配線バス２８を通して照明システムセル内の他の装置との間で、受信された有線信号９６を受け、送信された有線信号９８を送信する。バスモニタ９０は、バス信号１００でプロセッサ８６と通信する。受信された無線信号９２及び受信された有線信号９６は、受信信号であり、送信された無線信号９４及び送信された有線信号９８は送信された信号である。
【００２６】
１実施の形態では、デュアルモード照明装置８０は、バラストの一部であるコントローラであり、バラストインタフェース１１０は、デュアルモード照明装置８０内に配置される。バラストインタフェース１１０は、バラスト信号１１２によりプロセッサ８６と通信し、ランプ制御信号１１４によりランプ１１８を制御するバラスト１１６と通信する。代替的な実施の形態では、デュアルモード照明装置８０は、独立な制御装置であり、バラストインタフェース１１０は、デュアルモード照明装置８０から分離している。バラストインタフェース１１０は、配線バス２８又は電波を通してプロセッサ８６とバラスト信号１１２により通信する。
【００２７】
照明システムセル内のマスター装置は、命令を供給し、応答を検出する。１実施の形態では、デュアルモード照明装置８０はマスター装置であり、プロセッサ８６は、システムインタフェース８４を通してインタフェース信号１０４でシステム制御２２と通信する。システム制御２２は、あるゾーン又はビルを通して照明を制御するために１以上のマスター装置に接続される。当業者であれば、所望の特定のコンフィギュレーションに依存して、システムインタフェース８４がデュアルモード照明装置８０の内部又は外部にあることを理解するであろう。
【００２８】
デュアルモード照明装置８０は、所望のアプリケーションに依存して異なる方式で動作する。デュアルモード照明装置８０は、マスター又はスレーブ装置として動作する。スレーブ装置として、デュアルモード照明装置８０はパッシブであり、そのデバイスＩＤを含む信号に応答するのみであるか、又は、リピータであり、受信された信号を再送信する。様々な実施の形態では、デュアルモード照明装置８０は、有線信号又は無線信号を受信し、有線信号、無線信号、又は有線信号及び無線信号の両者を送信することができる。動作の方式は、デュアルモード照明装置８０がインストールされる前にプリセットされるか、システム制御２２からのコマンドにより設定することができ、有線バス２８を通してプログラミングするか、又は電波３０を通してプログラミングする。
【００２９】
デュアルモード照明装置８０がマスター装置であるとき、デュアルモード照明装置８０は、ランプ、バラスト及び他のスレーブ装置の様々な組み合わせを含む、照明システムセルの動作を制御する。また、マスター装置は、関連付けされるバラスト１１６及びランプ１１８を有し、及び／又はプロセッサ８６に制御入力信号１２２を供給する関連付けされる制御入力１２０を有する。マスター装置は、システムインタフェース８４を通してシステム信号２４でシステム制御２２と通信する。システム制御２２は、ＴＣＰ／ＩＰを実現する８０２．１１ワイヤレス又はＥｔｈｅｒｎｅｔ（登録商標）コネクションのような有線又は無線コネクションにより、又は、ＤＡＬＩ又はＺｉｇＢｅｅプロトコルのような互換性のある通信プロトコルを実現する配線バス又は電波を通してマスター装置に接続される。システム信号２４は、システム制御２２からマスター装置への命令又は問合せであるか、又は、システム制御２２へのマスター装置からの応答である。システムインタフェース８４は、必要に応じて、システム信号２４を受け、インタフェース信号１０４を送出し、システム信号２４とインタフェース信号１０４の間で変換する。インタフェース１０４が照明システムセルへの命令又は問合せであるとき、プロセッサ８６は、ＤＡＬＩプロトコルのようなスレーブ装置により理解される通信プロトコルに命令又は問合せをフォーマットする。メモリ信号１０６を通して、メモリ８２は、データ又は命令をプロセッサ８６に供給するか、又はプロセッサ８６からのデータ又は命令を記憶する。
【００３０】
マスター装置として、デュアルモード照明装置８０は、有線、無線、又は結合された有線／無線モードで動作することができる。有線モードで、プロセッサ８６は、バス信号１００でバスモニタ９０と通信する。バスモニタ９０は、配線バス２８を通して照明システムセル内のスレーブ装置の間で、送信された有線信号９８を送信し、受信された有線信号９６を受信する。無線モードでは、プロセッサ８６は、アンテナ信号１０２でアンテナ８８と通信する。アンテナ８８は、電波３０を通して照明システムセル内のスレーブ装置との間で、送信された無線信号９４を送信し、受信された無線信号９２を受信する。結合された有線／無線モードで、プロセッサ８６は、アンテナ８８及びバスモニタ９０の両者を通してスレーブ装置と通信する。
【００３１】
マスター装置は、所望のように、関連付けされるバラスト及びランプを制御する。バラストインタフェース１１０は、メモリ８２に記憶されるデバイスＩＤを有する、デュアルモード照明装置８０のプロセッサ８６とバラスト信号１１２により通信する。バラストインタフェース１１０は、デュアルモード照明装置８０の記憶されるデバイスＩＤに関連付けされる命令又は問合せを受信するとき、ランプ１１８を制御するため、バラスト１１６と通信する。１実施の形態では、デュアルモード照明装置８０は、バラスト１１６の同じハウジング及び部分に囲まれる。代替的な実施の形態では、デュアルモード照明装置８０は、異なるハウジングに囲まれ、バラスト１１６と分離されている。別の代替的な実施の形態では、バラストインタフェース１１０は、省略することができ、デュアルモード照明装置８０は、関連されるバラスト及びランプをもたないマスター装置として機能する。
【００３２】
マスター装置は、必要に応じて、プロセッサ８６に制御入力信号１２２を供給する制御入力１２０を含んでいる。制御入力１２０は、光センサ又は占有検出器のようなセンサ、若しくは、ウォールコントロール、リモートコントロール又はシーンコントロールのようなローカルコントロールである。マスター装置は、制御入力信号１２２に応答してその動作を適合し、制御入力信号１２２における情報を他の照明装置に供給し、及び／又は、他の照明装置に送信信号を供給し、制御入力信号１２２に基づいてそれら照明装置にコマンドを組み込む。
【００３３】
デュアルモード照明装置８０がスレーブコントローラであるとき、デュアルモード照明装置８０は、関連されるバラスト１１６及びランプ１１８の動作を制御し、第一のモードと第二のモードとの間で変換し、無線信号を繰り返し、及び／又は、独立の照明制御装置としての役割を果たす。スレーブ装置は、電波３０又は配線バス２８にわたり、その照明システムセルについてマスター装置と通信する。スレーブ装置は、マスター装置と直接的に通信するか、他のスレーブ装置を通して中継される信号と間接的に通信する。装置の互換性を可能にするためにシステムインタフェース８４は保持されるが、システムインタフェース８４は、スレーブ装置について必要とされる。
【００３４】
バラスト装置として、スレーブ装置は有線又は無線モードで動作することができる。  
有線モードで、スレーブ装置は、バスモニタ９０で配線バス２８からの受信された有線信号９６を受信し、バスモニタは、受信された有線信号９６における情報を、バス信号１００を通してプロセッサ８６に通過する。プロセッサ８６は、バス信号１００におけるデバイスＩＤをメモリ８２に記憶された特定のスレーブ装置のデバイスＩＤとチェックすることで、バス信号１００が特定のスレーブ装置に印加されるときを判定する。デバイスＩＤが整合し、バス信号１００が特定のスレーブ装置に印加されたとき、プロセッサ８６は、バラスト信号１１２をバラストインタフェース１１０に送出し、バラスト１１６を通してランプ１１８を制御する。特定のスレーブ装置は、マスター装置からの問合せに応答し、プロセッサ８６から要求された情報をバスモニタ９０に送出し、バスモニタは、送信された有線信号９８と共に、配線バス２８に情報を送出する。受信された有線信号９６は受信信号であり、送信された有線信号９８は送信信号である。
【００３５】
無線モードにおける動作は、有線モードにおける動作に類似する。スレーブ装置は、アンテナ８８で電波３０からの受信された無線信号９２を受信し、このアンテナは、アンテナ信号１０２を通してプロセッサ８６に受信された無線信号９２における情報を送出する。プロセッサ８６は、アンテナ信号１０２におけるデバイスＩＤをメモリ８２に記憶された特定のスレーブ装置のデバイスＩＤとチェックすることで、アンテナ信号１０２が特定のスレーブ装置に印加されたときを判定する。デバイスＩＤが整合し、アンテナ信号１０２が特定のスレーブ装置に印加されたとき、プロセッサ８６は、バラスト１１６を通してランプ１１８を制御するため、バラストインタフェース１１０にバラスト信号１１２を送出する。特定のスレーブ装置は、マスター装置からの問合せに応答し、プロセッサ８６から要求された情報をアンテナ８８に送出し、アンテナは、送信された無線信号９４で電波（airway）３０に情報を送出する。受信された無線信号９２は受信信号であり、送信された無線信号９４は送信信号である。
【００３６】
１実施の形態では、スレーブ装置は、送信された有線信号９８及び送信された無線信号９４の両者を送信する。
【００３７】
代替的な実施の形態では、スレーブ装置は、配線バス２８からの受信された有線信号９６及び電波３０からの受信された無線信号９２を受け、両方の信号は、信号を受信している特定のスレーブ装置に印加される。両信号は、冗長度、どのモードが最も適しているかに関する不確かさ、又は望まれる他の理由について特定のスレーブ装置のデバイスＩＤを含む。プロセッサ８６は、どの信号を処理すべきかを判定する。１実施の形態では、プロセッサ８６は、マスター装置からの前のコマンドにより指定され、メモリ８２に記憶されている予め決定されたモードを使用する。たとえば、プロセッサ８６は、記憶される好み当たり無線モードを使用する。代替的な実施の形態では、信号が同時でないとき、プロセッサ８６は、信号受信の順序に従うモードを使用する。たとえば、プロセッサ８６は、受信された第一の信号が受信された有線信号であり、記憶された好みが受信された第一の信号のモードを使用するのを要求するときに、有線モードを使用する。
【００３８】
トランスレータとして、スレーブ装置は、第一のモード及び第二のモードの間で変換することができる。無線−有線トランスレータとして、スレーブ装置８０は、アンテナ８８で電波３０から受信された無線信号９２を受信し、アンテナ信号１０２をプロセッサ８６に供給する。プロセッサ８６は、アンテナ信号１０２からの情報をバスモニタ９０に供給し、バスモニタは、送信された有線信号９８で配線バス２８に情報を送出する。配線バス２８は、配線バス２８に接続された他の装置に情報を分散する。有線−無線トランスレータとして、スレーブ装置８０は、バスモニタ９０で配線バスからの受信された有線信号９６を受信し、バス信号１００をプロセッサ８６に供給する。プロセッサ８６は、バス信号１００からアンテナ８８に情報を供給し、アンテナ８８は、送信された無線信号９４で電波３０に情報を送出する。電波３０は、アンテナ８８のレンジ内の他の装置に情報を分散する。
【００３９】
代替的な実施の形態では、スレーブ装置８０は、一方の互換性のある通信プロトコルと別のプロトコル間で変換する。１つの例では、スレーブ装置８０は、アンテナ８８での電波３０から、ＤＡＬＩプロトコルのような第一の互換性のある通信プロトコルで受信された無線信号９２を受信し、アンテナ信号１０２をプロセッサ８６に供給する。プロセッサ８６は、アンテナ信号１０２をＺｉｇＢｅｅプロトコルのような第二の互換性のある通信プロトコルに変換する。プロセッサ８６は、送信された無線信号９４として電波にアンテナ８８を通してＺｉｇＢｅｅプロトコルにおける情報を送出する。当業者であれば、多数の組み合わせが可能であることを理解されるであろう。スレーブ装置８０は、有線−無線、及び／又は一方の互換性のある通信プロトコル及び別のプロトコルを変換することができる。
【００４０】
リピータとして、スレーブ装置は、あるモードで信号を受信し、同じモードで信号を送信する。これは、無線信号がそのレンジの端にあるか、又は妨害されたときのような、受信された信号が弱いときに特に有効である。有線モードで、スレーブ装置８０は、バスモニタ９０で配線バス２８から受信された有線信号９６を受信し、バス信号１０をプロセッサ８６に供給する。プロセッサ８６は、送信された有線信号９８として配線バス２８にバスモニタ９０を通してバス信号１００から情報を再送出する。バスモニタ９０は、所望の信号レベルを達成するための増幅を提供する。無線モードで、スレーブ装置８０は、アンテナ８８で電波３０からの受信された無線信号９２を受信し、アンテナ信号１０２をプロセッサ８６に供給する。プロセッサ８６は、送信された無線信号９４として電波３０にアンテナ８８を通してアンテナ信号１０２から情報を再送出する。アンテナ８８は、所望の信号レベルを達成するために増幅を提供する。
【００４１】
独立な照明制御装置として、スレーブ装置は、スレーブ装置でローカル入力を受信し、入力を使用するか、又は他の照明装置に制御入力における情報を供給する。スレーブ装置は、プロセッサ８６に制御入力信号１２２を供給する制御入力１２０を含む。制御入力１２０は、光センサ又は占有検出器のようなセンサ、又は、ウォールコントロール、リモートコントロール、又はシーンコントロールのようなローカルコントロールとすることができる。スレーブ装置は、制御入力信号１２２に応答してその動作を調節し、制御入力信号１２２における情報を他の照明装置に供給し、及び／又は送信信号を他の照明装置に供給し、制御入力信号１２２に基づいてそれら照明装置にコマンドを組み込む。
【００４２】
本実施の形態で開示された本発明の実施の形態は、好適なものと考えられるが、様々な変化及び変更が本発明の範囲から逸脱することなしになされる。本発明の範囲は、特許請求の範囲で示されるが、等価な意味及び範囲にある全ての変化は、ここに含まれることが意図される。
【図面の簡単な説明】
【００４３】
【図１】本発明に従ってなされるデュアルモード照明装置を含む照明システムのブロック図である。
【図２】本発明に従ってなされるデュアルモード照明装置のブロック図である。
【図１】
2008514096.tif 000003
【図２】
2008514096.tif 000004
【国際調査報告】
2008514096.tif 000005
2008514096.tif 000006